(57)【要約】      （修正有）【課題】利用者の画像と合成されるテンプレートの著作権等の保護を図るとともに、テンプレートと合成された画像の出力を短時間で行うことのできる合成画像出力装置を提供する。【解決手段】メディアリーダ／ライタ６０に記録メディアを挿入すると、利用者の画像データ（生データ）が画像表示テーブル１２に入力され（ステップＳ１０）、表示用データに変換されて表示部３０に一覧表示される（ステップＳ１２）。次に、サーバ１８からテンプレートが読み出され（ステップＳ１４）、テンプレートの中から画像と合成したいものを選択し（ステップＳ１６）、表示部３０上で合成する（ステップＳ１８）。合成結果を確定すると（ステップＳ２０）、生データがサーバ１８に転送され（ステップＳ２２）、ファイル出力用及びプリント出力用のテンプレートデータと合成されて、ファイル出力用及びプリント出力用の合成データが作成される（ステップＳ２４）。【選択図】      図５
2005354282.tif 000002
【特許請求の範囲】
【請求項１】
デジタル画像と合成するための複数のテンプレートが記憶された記憶手段であって、各表示用テンプレートに対応してプリント出力用テンプレートと、ファイル出力用テンプレートとが関連づけられて記憶された記憶手段と、
デジタル画像を取得する画像取得手段と、前記画像取得手段により取得された利用者の画像を表示する画像表示手段と、前記画像表示手段に表示された画像と合成する表示用テンプレートを選択し、前記画像を前記選択された表示用テンプレートと合成し表示用合成画像を作成する表示用合成画像作成手段と、前記利用者が出力指示を入力する出力指示手段と、前記表示用合成画像作成手段からの入力に基づいて前記画像表示手段に表示された画像を制御する制御手段とを備える画像表示制御装置と、
前記表示用テンプレートと合成された表示用合成画像の作成時に、前記表示用テンプレートに対応して前記記憶手段から読み出したプリント出力用テンプレート及びファイル出力用テンプレートに基づいてプリント出力用合成画像及びファイル出力用合成画像を作成する出力用合成画像作成手段と、
ファイル出力の指示入力があると、前記出力用合成画像作成手段によって作成されたファイル出力用合成画像を記録媒体に記録する記録手段と、
を備えることを特徴とする合成画像出力装置。
【請求項２】
デジタル画像と合成するための複数の高解像度のテンプレートが記憶された記憶手段と、
前記記憶手段に記憶されたテンプレートのうちから前記画像と合成するテンプレートが選択されると、選択されたテンプレートから低解像度のテンプレートを作成して表示用テンプレートと、プリント出力用テンプレートと、ファイル出力用テンプレートを作成するテンプレート作成手段と、
デジタル画像を取得する画像取得手段と、前記画像取得手段により取得された利用者の画像を表示する画像表示手段と、前記画像表示手段に表示された画像と合成する表示用テンプレートを選択し、前記画像を前記選択された表示用テンプレートと合成し表示用合成画像を作成する表示用合成画像作成手段と、前記利用者が出力指示を入力する出力指示手段と、前記表示用合成画像作成手段からの入力に基づいて前記画像表示手段に表示された画像を制御する制御手段とを備える画像表示制御装置と、
前記表示用テンプレートと合成された表示用合成画像の作成時に、前記表示用テンプレートに対応するプリント出力用テンプレート及びファイル出力用テンプレートに基づいてプリント出力用合成画像及びファイル出力用合成画像を作成する出力用合成画像作成手段と、
ファイル出力の指示入力があると、前記出力用合成画像作成手段によって作成されたファイル出力用合成画像を記録媒体に記録する記録手段と、
を備えることを特徴とする合成画像出力装置。
【請求項３】
プリント出力の指示入力があると、前記出力用合成画像作成手段によって作成されたプリント出力用合成画像に基づいて写真プリントを印刷するプリント手段を更に備えることを特徴とする請求項１又は２記載の合成画像出力装置。
【請求項４】
前記ファイル出力用テンプレートは、前記プリント出力用テンプレートよりも低解像度、又は複製禁止画像を含む部分が置換又は削除されたものであることを特徴とする請求項１から３のいずれか１項記載の合成画像出力装置。
【請求項５】
前記制御手段は、前記利用者が注文した商品の種類に基づいて、前記利用者の画像表示制御装置で利用可能とするテンプレートを決定することを特徴とする請求項１から４のいずれか１項記載の合成画像出力装置。
【請求項６】
前記画像表示制御装置は、商品が置かれたときに前記商品の種類を認識する商品認識手段を備え、
前記制御手段は、前記商品認識手段で認識された商品の種類に基づいて、前記利用者の画像表示制御装置で利用可能とするテンプレートを決定することを特徴とする請求項５記載の合成画像出力装置。
【請求項７】
前記商品の容器には、固有の識別情報が書き込まれたＩＣタグが取り付けられており、前記商品認識手段は、前記ＩＣタグに書き込まれた識別情報を読み取るＩＣタグリーダであることを特徴とする請求項６記載の合成画像出力装置。
【請求項８】
前記利用者によって注文された商品の種類の入力を行う注文入力手段を備え、
前記画像表示制御装置は、商品に対応付けられた注文ＩＤを認識するＩＤ認識手段を備え、
前記制御手段は、前記注文入力手段により入力された商品の種類に基づいて、前記利用者の利用可能なテンプレートを決定し、前記選択されたテンプレートを前記注文ＩＤと関連づけて記憶し、前記画像表示制御装置において前記ＩＤ認識手段により前記注文ＩＤが認識されると、前記注文ＩＤが認識された画像表示制御装置で前記決定されたテンプレートを利用可能とすることを特徴とする請求項５記載の合成画像出力装置。
【請求項９】
前記利用者のＩＤ及び前記利用者によって注文された商品の種類の入力を行う注文入力手段を備え、
前記画像表示制御装置は、前記利用者のＩＤの書き込まれたＩＤ記録手段を認識する利用者ＩＤ認識手段を備え、
前記制御手段は、前記注文入力手段により入力された商品の種類に基づいて、前記利用者の利用可能なテンプレートを決定し、前記決定されたテンプレートを前記商品の注文を行った前記利用者のＩＤと関連づけて記憶し、前記画像表示制御装置において前記利用者ＩＤ認識手段により前記利用者のＩＤが認識されると、前記ＩＤが認識された画像表示制御装置で前記決定されたテンプレートを利用可能とすることを特徴とする請求項５記載の合成画像出力装置。
【請求項１０】
前記画像表示制御装置には、固有の識別符号が付されており、
前記利用者の着席している画像表示制御装置に付された識別符号及び前記利用者によって注文された商品の種類の入力を行う注文入力手段を備え、
前記制御手段は、前記注文入力手段により入力された商品の種類に基づいて、前記利用者の利用可能なテンプレートを決定し、前記商品の注文を行った前記利用者の画像表示制御装置で前記決定されたテンプレートを利用可能とすることを特徴とする請求項５記載の合成画像出力装置。
【請求項１１】
前記プリント出力用テンプレートは、前記合成画像出力装置の設置された店舗で使用可能なクーポン券を含み、前記クーポン券を含むプリント出力用テンプレートと対応するファイル出力用テンプレートは前記クーポン券を含まないことを特徴とする請求項１から１０のいずれか１項記載の合成画像出力装置。
【請求項１２】
画像取得手段により取得された画像を画像表示手段に表示させる機能と、
前記画像表示手段に表示された画像と合成する表示用テンプレートを記憶手段から読み出して前記画像表示手段に表示させる機能と、
前記画像表示手段に表示された画像と合成する表示用テンプレートを選択する機能と、
前記画像を前記選択された表示用テンプレートと合成し表示用合成画像を作成する機能と、
前記表示用テンプレートと合成された表示用合成画像の作成時に、前記表示用テンプレートに対応して前記記憶手段に記憶されているプリント出力用テンプレート及びファイル出力用テンプレートを読み出して、前記取得した画像と合成し、プリント出力用合成画像及びファイル出力用合成画像を作成する機能と、
ファイル出力の指示入力があると、記録手段を用いて前記ファイル出力用合成画像を記録媒体に記録させる機能と、
をコンピュータに実現させることを特徴とする画像合成出力プログラム。
【請求項１３】
画像取得手段により取得された画像を画像表示手段に表示させる機能と、
記憶手段に記憶された高解像度のテンプレートから低解像度のテンプレートを作成して表示用テンプレートと、プリント出力用テンプレートと、該プリント出力用テンプレートよりも解像度の低いファイル出力用テンプレートを作成する機能と、
前記画像表示手段に表示された画像と合成する表示用テンプレートを前記画像表示手段に表示させる機能と、
前記画像表示手段に表示された画像と合成する表示用テンプレートを選択する機能と、
前記画像を前記選択された表示用テンプレートと合成し表示用合成画像を作成する機能と、
前記表示用テンプレートと合成された表示用合成画像の作成時に、前記表示用テンプレートに対応するプリント出力用テンプレート及びファイル出力用テンプレートと、前記取得した画像とを合成し、プリント出力用合成画像及びファイル出力用合成画像を作成する機能と、
ファイル出力の指示入力があると、記録手段を用いて前記ファイル出力用合成画像を記録媒体に記録させる機能と、
をコンピュータに実現させることを特徴とする画像合成出力プログラム。
【請求項１４】
更に、プリント出力の指示入力があると、前記プリント出力用合成画像に基づいて写真プリントを印刷する機能をコンピュータに実現させることを特徴とする請求項１２又は１３記載の画像合成出力プログラム。
【請求項１５】
更に、前記利用者が注文した商品の種類に基づいて、選択可能なテンプレートを決定する機能をコンピュータに実現させることを特徴とする請求項１２から１４のいずれか１項記載の画像合成出力プログラム。
【発明の詳細な説明】
【技術分野】
【０００１】
本発明は合成画像出力装置及び画像合成出力プログラムに関する。
【背景技術】
【０００２】
近年、利用者が持参したメディアカードやデジタルカメラ等の記憶媒体から写真等の画像データを読み取って、店頭でプリントやファイル出力を行う装置が普及している。このような装置において、利用者は所望のテンプレートを選択して自分の画像と合成し、合成された画像をプリントしたり、合成された画像のデータをコンパクトディスク（ＣＤ）等にファイル出力して販売するサービスが提案されている。利用者はこのＣＤ等を購入することにより、自分のパソコン等で合成画像データの表示や編集、プリント等を行うことができる。
【０００３】
ところで、上記のようなテンプレートには、例えば、アニメーションのキャラクタや芸能人等、著作権等の設定された画像を含むものもある。このようなテンプレートと合成された画像データをＣＤ等にファイル出力して販売すると、購入した利用者がこれらの画像データを自由に利用することができるため、著作権等の問題が発生する。
【０００４】
上記のような問題に対処するため、特許文献１には、著作権を有するテンプレートと合成された合成画像データをファイル出力して販売する際に、合成画像データの著作権に関わるキャラクタ等が描かれている部分を塗りつぶした代替テンプレートとの合成画像データを作成してファイル出力する合成画像出力装置が開示されている。また、特許文献２には、利用者に渡される合成画像データを低解像度のものとする画像プリント注文方法等が開示されている。
【特許文献１】特開２００４−３２２４７号公報（段落００３２、図２等）
【特許文献２】特開２０００−１１５５１２号公報（段落００２６等）
【発明の開示】
【発明が解決しようとする課題】
【０００５】
ところで、近年、飲食等をしてくつろぎながら画像の操作や印刷を楽しむカフェスタイルのデジタルプリントショップが設置されている。上記のようなカフェスタイルのデジタルプリントショップにおいては、画像データのファイル出力は、利用者が画像の操作や飲食等を終えて店を出るときにまとめて行われることが多い。
【０００６】
しかしながら、上記特許文献１及び２に開示された技術によると、利用者等がファイル出力ボタンを押してから、出力対象の合成画像データに用いられているテンプレートが著作権を有するテンプレートであるかどうかを判断し、著作権テンプレートであると判断された場合に、著作権テンプレートの代替テンプレートを用いて合成画像を作成してファイルに出力するという工程がテンプレートと合成された画像ごとに必要となるため、まとめて画像の保存を行うと時間がかかるという問題があった。
【０００７】
本発明はこのような事情に鑑みてなされたもので、利用者の画像と合成されるテンプレートの著作権等の保護を図るとともに、テンプレートと合成された画像の出力を短時間で行うことのできる合成画像出力装置及び画像合成出力プログラムを提供することを目的とする。
【課題を解決するための手段】
【０００８】
上記目的を達成するために請求項１に合成画像出力装置は、デジタル画像と合成するための複数のテンプレートが記憶された記憶手段であって、各表示用テンプレートに対応してプリント出力用テンプレートと、ファイル出力用テンプレートとが関連づけられて記憶された記憶手段と、デジタル画像を取得する画像取得手段と、前記画像取得手段により取得された利用者の画像を表示する画像表示手段と、前記画像表示手段に表示された画像と合成する表示用テンプレートを選択し、前記画像を前記選択された表示用テンプレートと合成し表示用合成画像を作成する表示用合成画像作成手段と、前記利用者が出力指示を入力する出力指示手段と、前記表示用合成画像作成手段からの入力に基づいて前記画像表示手段に表示された画像を制御する制御手段とを備える画像表示制御装置と、前記表示用テンプレートと合成された表示用合成画像の作成時に、前記表示用テンプレートに対応して前記記憶手段から読み出したプリント出力用テンプレート及びファイル出力用テンプレートに基づいてプリント出力用合成画像及びファイル出力用合成画像を作成する出力用合成画像作成手段と、ファイル出力の指示入力があると、前記出力用合成画像作成手段によって作成されたファイル出力用合成画像を記録媒体に記録する記録手段とを備えることを特徴とする。
【０００９】
請求項１に係る合成画像出力装置によれば、画像とテンプレートが合成されたときに、データとしての配布が好ましくないテンプレートから作成された合成画像の出力用ファイルが自動的に作成されるので、出力に要する時間を短縮できる。
【００１０】
請求項２に係る合成画像出力装置は、デジタル画像と合成するための複数の高解像度のテンプレートが記憶された記憶手段と、前記記憶手段に記憶されたテンプレートのうちから前記画像と合成するテンプレートが選択されると、選択されたテンプレートから低解像度のテンプレートを作成して表示用テンプレートと、プリント出力用テンプレートと、ファイル出力用テンプレートを作成するテンプレート作成手段と、デジタル画像を取得する画像取得手段と、前記画像取得手段により取得された利用者の画像を表示する画像表示手段と、前記画像表示手段に表示された画像と合成する表示用テンプレートを選択し、前記画像を前記選択された表示用テンプレートと合成し表示用合成画像を作成する表示用合成画像作成手段と、前記利用者が出力指示を入力する出力指示手段と、前記表示用合成画像作成手段からの入力に基づいて前記画像表示手段に表示された画像を制御する制御手段とを備える画像表示制御装置と、前記表示用テンプレートと合成された表示用合成画像の作成時に、前記表示用テンプレートに対応するプリント出力用テンプレート及びファイル出力用テンプレートに基づいてプリント出力用合成画像及びファイル出力用合成画像を作成する出力用合成画像作成手段と、ファイル出力の指示入力があると、前記出力用合成画像作成手段によって作成されたファイル出力用合成画像を記録媒体に記録する記録手段とを備えることを特徴とする。
【００１１】
請求項２に係る合成画像出力装置によれば、上記した効果に加え、記憶手段の容量を節約できる。
【００１２】
請求項３に示すように請求項１又は２に係る合成画像出力装置において、プリント出力の指示入力があると、前記出力用合成画像作成手段によって作成されたプリント出力用合成画像に基づいて写真プリントを印刷するプリント手段を更に備えることを特徴とする。
【００１３】
請求項４に示すように請求項１から３に係る合成画像出力装置において、前記ファイル出力用テンプレートは、前記プリント出力用テンプレートよりも低解像度、又は複製禁止画像を含む部分が置換又は削除されたものであることを特徴とする。
【００１４】
請求項４に係る合成画像出力装置によれば、著作権等の知的財産権に係るテンプレートとの合成画像を、代替テンプレートとの合成画像と差し替えることにより、テンプレートの著作権等の保護を図ることができる。
【００１５】
請求項５に示すように請求項１から４に係る合成画像出力装置において、前記制御手段は、前記利用者が注文した商品の種類に基づいて、前記利用者の画像表示制御装置で利用可能とするテンプレートを決定することを特徴とする。
【００１６】
請求項６に示すように請求項５に係る合成画像出力装置において、前記画像表示制御装置は、商品が置かれたときに前記商品の種類を認識する商品認識手段を備え、前記制御手段は、前記商品認識手段で認識された商品の種類に基づいて、前記利用者の画像表示制御装置で利用可能とするテンプレートを決定することを特徴とする。
【００１７】
請求項７に示すように請求項６に係る合成画像出力装置において、前記商品の容器には、固有の識別情報が書き込まれたＩＣタグが取り付けられており、前記商品認識手段は、前記ＩＣタグに書き込まれた識別情報を読み取るＩＣタグリーダであることを特徴とする。
【００１８】
請求項８に示すように請求項５に係る合成画像出力装置において、前記利用者によって注文された商品の種類の入力を行う注文入力手段を備え、前記画像表示制御装置は、商品に対応付けられた注文ＩＤを認識するＩＤ認識手段を備え、前記制御手段は、前記注文入力手段により入力された商品の種類に基づいて、前記利用者の利用可能なテンプレートを決定し、前記選択されたテンプレートを前記注文ＩＤと関連づけて記憶し、前記画像表示制御装置において前記ＩＤ認識手段により前記注文ＩＤが認識されると、前記注文ＩＤが認識された画像表示制御装置で前記決定されたテンプレートを利用可能とすることを特徴とする。
【００１９】
請求項９に示すように請求項５に係る合成画像出力装置において、前記利用者のＩＤ及び前記利用者によって注文された商品の種類の入力を行う注文入力手段を備え、前記画像表示制御装置は、前記利用者のＩＤの書き込まれたＩＤ記録手段を認識する利用者ＩＤ認識手段を備え、前記制御手段は、前記注文入力手段により入力された商品の種類に基づいて、前記利用者の利用可能なテンプレートを決定し、前記決定されたテンプレートを前記商品の注文を行った前記利用者のＩＤと関連づけて記憶し、前記画像表示制御装置において前記利用者ＩＤ認識手段により前記利用者のＩＤが認識されると、前記ＩＤが認識された画像表示制御装置で前記決定されたテンプレートを利用可能とすることを特徴とする。
【００２０】
請求項１０に示すように請求項５に係る合成画像出力装置において、前記画像表示制御装置には、固有の識別符号が付されており、前記利用者の着席している画像表示制御装置に付された識別符号及び前記利用者によって注文された商品の種類の入力を行う注文入力手段を備え、前記制御手段は、前記注文入力手段により入力された商品の種類に基づいて、前記利用者の利用可能なテンプレートを決定し、前記商品の注文を行った前記利用者の画像表示制御装置で前記決定されたテンプレートを利用可能とすることを特徴とする。
【００２１】
請求項１１に示すように請求項１から１０に係る合成画像出力装置において、前記プリント出力用テンプレートは、前記合成画像出力装置の設置された店舗で使用可能なクーポン券を含み、前記クーポン券を含むプリント出力用テンプレートと対応するファイル出力用テンプレートは前記クーポン券を含まないことを特徴とする。
【００２２】
請求項１１に係る合成画像出力装置によれば、注文された商品に応じて店舗独自のサービスが提供できるとともに、クーポン券の不正利用等を防ぐことができる。
【００２３】
請求項１２に係る画像合成出力プログラムは、画像取得手段により取得された画像を画像表示手段に表示させる機能と、前記画像表示手段に表示された画像と合成する表示用テンプレートを記憶手段から読み出して前記画像表示手段に表示させる機能と、前記画像表示手段に表示された画像と合成する表示用テンプレートを選択する機能と、前記画像を前記選択された表示用テンプレートと合成し表示用合成画像を作成する機能と、前記表示用テンプレートと合成された表示用合成画像の作成時に、前記表示用テンプレートに対応して前記記憶手段に記憶されているプリント出力用テンプレート及びファイル出力用テンプレートを読み出して、前記取得した画像と合成し、プリント出力用合成画像及びファイル出力用合成画像を作成する機能と、ファイル出力の指示入力があると、記録手段を用いて前記ファイル出力用合成画像を記録媒体に記録させる機能とをコンピュータに実現させることを特徴とする。
【００２４】
請求項１３に係る画像合成出力プログラムは、画像取得手段により取得された画像を画像表示手段に表示させる機能と、記憶手段に記憶された高解像度のテンプレートから低解像度のテンプレートを作成して表示用テンプレートと、プリント出力用テンプレートと、該プリント出力用テンプレートよりも解像度の低いファイル出力用テンプレートを作成する機能と、前記画像表示手段に表示された画像と合成する表示用テンプレートを前記画像表示手段に表示させる機能と、前記画像表示手段に表示された画像と合成する表示用テンプレートを選択する機能と、前記画像を前記選択された表示用テンプレートと合成し表示用合成画像を作成する機能と、前記表示用テンプレートと合成された表示用合成画像の作成時に、前記表示用テンプレートに対応するプリント出力用テンプレート及びファイル出力用テンプレートと、前記取得した画像とを合成し、プリント出力用合成画像及びファイル出力用合成画像を作成する機能と、ファイル出力の指示入力があると、記録手段を用いて前記ファイル出力用合成画像を記録媒体に記録させる機能とをコンピュータに実現させることを特徴とする。
【００２５】
請求項１４に示すように請求項１２又は１３に係る画像合成出力プログラムにおいて、更に、プリント出力の指示入力があると、前記プリント出力用合成画像に基づいて写真プリントを印刷する機能をコンピュータに実現させることを特徴とする。
【００２６】
請求項１５に示すように請求項１２から１４に係る画像合成出力プログラムにおいて、更に、前記利用者が注文した商品の種類に基づいて、選択可能なテンプレートを決定する機能をコンピュータに実現させることを特徴とする。
【発明の効果】
【００２７】
本発明によれば、画像とテンプレートが合成されたときに、自動的に出力用ファイルが作成されるので、出力に要する時間を短縮できるとともに、著作権等の設定された、データとしての配布が好ましくないテンプレートから作成された合成画像をファイル出力する場合に、代替テンプレートと合成された画像と差し替えることにより、テンプレートの著作権等の保護を図ることができる。また、利用者の注文した商品に応じてテンプレートを提供することにより、店舗独自のサービスを提供することができる。
【発明を実施するための最良の形態】
【００２８】
以下、添付図面に従って本発明に係る合成画像出力装置及び画像合成出力プログラムの好ましい実施の形態について説明する。図１は、本発明の一実施形態に係る合成画像出力装置を示すブロック図である。合成画像出力装置１０は、喫茶店やレストラン等の店舗に設置されるもので、画像表示制御装置（画像表示テーブル）１２と、プリンタ１４と、店員用の入出力装置や店内カメラ、ＰＯＳレジ等を含む店内システム１６と、システム制御や画像処理に係るプログラムや利用者の画像と合成されるテンプレート等を含むサーバ１８とを備えており、これらはハブ２０を介してＬＡＮ接続されている。なお、本実施形態では、スター型ＬＡＮが示されているが、バス型ＬＡＮやリング型ＬＡＮでもよい。また、有線ＬＡＮ及び無線ＬＡＮのいずれでもよい。
【００２９】
図２は画像表示テーブルを示す斜視図である。図２に示すように、本実施形態の画像表示テーブル１２は円卓であり、表面に画像を表示する表示部３０が設けられている。表示部３０は、例えば、有機ＥＬ（electro-luminescence）や液晶ディスプレイ（ＬＣＤ）、電子ペーパー等である。
【００３０】
また、図２に示すように、表示部３０の図における下面には、利用者の画像の入出力を行うメディアリーダ／ライタ（図４の符号６０）等を備える入出力部３２が取り付けられている。
【００３１】
図３は、本発明の第１の実施形態に係る画像表示テーブルの構成を示すブロック図である。図３に示す画像表示テーブル１２は、上述の表示部３０と、入出力部３２と、操作部３８と、中央処理装置（ＣＰＵ）４４と、メモリ４６と、通信Ｉ／Ｆ４８とを含んでいる。
【００３２】
ＣＰＵ４４は、画像表示テーブル１２を統括制御する制御部である。ＣＰＵ４４は、操作部３８等からの入力に基づいて画像表示テーブル１２の動作を制御する。なお、ＣＰＵ４４はサーバ１８が兼ねていてもよい。
【００３３】
操作部３８は、画像表示テーブル１２を操作するための装置であり、利用者が入力した画像を操作するためのポインティングデバイス又はタッチパネル等を含んでいる。
【００３４】
メモリ４６には、ＣＰＵ４４が処理するプログラム及び制御に必要な各種データ等が格納されるＲＯＭや、入出力部３２を介して入力した画像データが格納される記憶領域及びＣＰＵ４４が各種の演算処理等を行う作業用領域となるＳＤＲＡＭ（Synchronous Dynamic RAM）等が含まれている。
【００３５】
通信Ｉ／Ｆ４８は、ＬＡＮに接続するための機器で、所定のプロトコルにしたがって各種データの送受信を行う。
【００３６】
図４は、入出力部３２を拡大して示す斜視図である。入出力部３２は、記録メディアに画像データを入出力するメディアリーダ／ライタ６０と、音声入出力用のジャック６２とを備えている。メディアリーダ／ライタ６０は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図４においては、メディアリーダ／ライタ６０は１つの記録メディア挿入口として簡略化されている。
【００３７】
また、入出力部３２は、有線通信やＩｒＤＡ（Infrared Data Association）やBluetooth等の無線通信に対応しており、デジタルカメラやカメラ付き携帯電話等との間で直接画像データを送受信することもできる。
【００３８】
なお、図４には、音声入出力用のジャックが示されているが、別に音声出力用のスピーカやマイク等を備えていてもよい。
【００３９】
以下、合成画像出力装置１０の利用方法について説明する。利用者がメディアリーダ／ライタ６０に記録メディアを挿入すると、記録メディアに記録されている画像データが読み取られ、表示部３０に読み取られた画像データが一覧表示される。
【００４０】
利用者は、操作部３８を操作して、画像の表示位置の移動、拡大／縮小、印刷指示、セーブ／消去又は動画再生等の操作を行う。また、音声付の画像の場合にはジャック６２（図４参照）を利用して音声を聞くこともできる。また、利用者は、操作部３８を操作して、画像への書き込み、画像の色合い等の調整、画像とテンプレート等との合成、シールやインデックスプリントの作成、ジャック６２からの音声入力等、さまざまな加工を施すことができる。
【００４１】
利用者はメディアリーダ／ライタ６０により加工した画像データをファイル出力して持ち帰ることができる。また、図１に示すプリンタ１４には通常の印刷用紙のほかラメ加工やシール加工等が施された用紙が搭載されており、各利用者は所望の用紙を選択して印刷することができる。なお、本実施形態においては、プリンタ１４は各テーブル１２ごとに１台ずつ設置されていてもよい。
【００４２】
以下、画像とテンプレートを合成して作成された合成画像データを出力する方法について説明する。まず、出力用のデータについて説明する。
【００４３】
サーバ１８に含まれるテンプレートは、出力用の画像データ（出力用テンプレートデータ）と表示用の画像データ（表示用テンプレートデータ）とからなっている。出力用テンプレートデータは、ファイル出力やプリント用に用いられる高解像度のデータである。また、表示用テンプレートデータは、表示部３０における表示（例えば、サムネイル表示）に用いられるデータであり、画像表示テーブル１２の処理速度等に応じてサイズやファイル容量が圧縮されたものである。
【００４４】
サーバ１８に含まれるテンプレートには、知的財産権（著作権等）に係るキャラクタ画像等の画像（以下の説明では、複製禁止画像という）を含み、利用者がデータとして持ち帰ることが好ましくないもの（複製禁止テンプレート）が含まれている。このような複製禁止テンプレートの出力用テンプレートデータは、ファイル出力用及びプリント出力用の２種類のデータからなっている。
【００４５】
プリント出力用テンプレートデータは、プリント用の高解像度のデータであり、ファイル出力用テンプレートデータは、ファイル出力時に複製禁止テンプレートの代わりに使用されるものである。ファイル出力用データとしては、例えば、元の複製禁止テンプレートと雰囲気が似たもので複製禁止画像を含まないもの、元の複製禁止テンプレートに低解像度化、又は縮小化処理が、配布されても差し支えないレベル（例えば、元の高解像度画像を復元不可能なレベル）まで施されたものや、複製禁止画像の部分が塗りつぶされたもの、又は複製禁止画像が別の複製可能なキャラクタや模様等で置き換えられたもの等を用いることができる。
【００４６】
なお、表示用テンプレートデータは、あらかじめサーバ１８等に記録されていてもよいし、テンプレートがサーバ１８から読み出されて表示部３０に表示されるたびに作成されるようにしてもよい。また、ファイル用テンプレートデータとして低解像度のものを用いる場合も同様に、ファイル用テンプレートがあらかじめサーバ１８等に記録されていてもよいし、テンプレートがサーバ１８から読み出されて表示部３０に表示されるたびに作成されるようにしてもよい。
【００４７】
次に、出力用データを作成する方法について説明する。図５は、本発明の第１の実施形態に係る合成画像の出力用データ作成方法を示すフローチャートである。
【００４８】
まず、利用者が画像表示テーブル１２に着席して、メディアリーダ／ライタ６０に記録メディアを挿入すると、記録メディアに記録されている利用者の画像データ（生データ）が画像表示テーブル１２に入力される（ステップＳ１０）。そして、入力された画像データは表示用画像データ（表示部３０に表示するための容量の小さいデータ）に変換され、表示部３０に一覧表示される（ステップＳ１２）。
【００４９】
次に、利用者が操作部３８を操作することにより、サーバ１８からテンプレートの表示用テンプレートデータが読み出されて、表示部３０に表示される（ステップＳ１４）。なお、表示用テンプレートデータは、画像表示テーブル１２のメモリ４６に含まれていてもよい。
【００５０】
そして、利用者は操作部３８を操作して、ステップＳ１４で表示された表示用テンプレートデータの中から自分の入力した画像と合成したいものを選択し（ステップＳ１６）、表示部３０上で表示用画像データとステップＳ１６で選択した表示用テンプレートデータとを合成して、表示用合成データを作成する（ステップＳ１８）。
【００５１】
図６は、表示用合成データの作成方法の例を示す図である。図６（ａ）には、利用者の画像（人物像）ＰＩＣとテンプレート（模様）ＴＥＭＰが示されている。次に、図６（ｂ）に示すように、画像ＰＩＣとテンプレートＴＥＭＰとをドラッグして重ね合わせることにより、図６（ｃ）に示すような表示用合成データＩＭＧが得られる。
【００５２】
図５の説明に戻ると、次いでステップＳ２０に進み、ステップＳ１８における合成結果を確定する。ステップＳ２０においては、例えば、利用者が操作部３８の確定ボタンを押す、又は画像表示テーブル１２のメモリ４６に保存する等の操作により、合成結果が確定される。すると、利用者の画像データ（生データ）がサーバ１８に転送され（ステップＳ２２）、サーバ１８によりファイル出力用の合成データ及びプリント出力用の合成データが自動的に（バックグラウンドで）作成される（ステップＳ２４）。
【００５３】
ここで、ファイル出力用合成データ及びプリント出力用合成データを作成する方法について説明する。図７は、ファイル出力用合成データの作成方法を示すフローチャートである。
【００５４】
上記図５のステップＳ２２において、利用者の画像データ（生データ）がサーバ１８に転送されると、合成されたテンプレートに対応するファイル出力用テンプレートデータが読み出され（ステップＳ３０）、利用者の画像データと合成されてファイル出力用合成データが作成される（ステップＳ３２）。
【００５５】
図８は、プリント出力用合成データの作成方法を示すフローチャートである。上記図５のステップＳ２２において、利用者の画像データ（生データ）がサーバ１８に転送されると、合成されたテンプレートに対応するプリント出力用テンプレートデータが読み出され（ステップＳ４０）、利用者の画像データと合成されてプリント出力用合成データが作成される（ステップＳ４２）。
【００５６】
なお、図５のステップＳ１６において、表示用合成データを作成した後に、利用者が操作部３８等により表示用合成データに書き込み等の操作を行ってもよい。この場合、ステップＳ２２において、利用者による操作内容もサーバ１８に転送して、ステップＳ３２及びＳ４２において合成する必要がある。
【００５７】
また、図５のステップＳ２２及びＳ２４において、ファイル出力用とプリント出力用のテンプレートデータが画像表示テーブル１２に転送されて、出力用ファイルの作成を画像表示テーブル１２で行うようにしてもよい。また、ファイル出力用とプリント出力用のテンプレートデータが画像表示テーブル１２に保存されているようにしてもよい。
【００５８】
なお、複製禁止テンプレート以外のテンプレートから作成された合成画像の出力用データ（出力用合成データ）を作成する場合には、ファイル用とプリント用の２種類の出力用合成データを作成する必要はなく、出力用合成データは高解像度のものを１つだけ作成すればよい。
【００５９】
また、上述の実施形態においては、利用者の画像に対して操作やテンプレートとの合成を行うこととしたが、例えば、店内（例えば、画像表示テーブル１２上）にカメラ（定点カメラ）等を設置して、このカメラによって撮影された画像についても上述のような操作等が行えるようにしてもよい。
【００６０】
次に、利用者が出力用合成データを出力する方法について説明する。図９は、出力用合成データのファイル出力方法を示すフローチャートである。
【００６１】
まず、ステップＳ５０において、利用者が操作部３８を操作することによりファイル出力指示が入力されると、上記図７のステップＳ３２で作成されたファイル出力用合成データが利用者の画像表示テーブル１２に転送される（ステップＳ５２）。そして、メディアリーダ／ライタ６０により、利用者の記録メディアにファイル出力用合成データが書き込まれる（ステップＳ５４）。
【００６２】
図１０は、出力用合成データのプリント出力方法を示すフローチャートである。まず、ステップＳ６０において、利用者が操作部３８を操作することによりプリント出力指示が入力されると、上記図８のステップＳ４２で作成されたプリント出力用合成データが利用者のプリンタ１４に転送され（ステップＳ６２）、プリントが実行される（ステップＳ６４）。
【００６３】
なお、本実施形態においては、テンプレートが、その店舗や提携店舗、商店街等で利用できるクーポン券や抽選（補助）券等を含むデザインとなっていてもよい。この場合には、表示用及びプリント用テンプレートデータにクーポン券等が含まれ、ファイル用テンプレートデータにはクーポン券等が含まれないようにする。
【００６４】
以下、本発明の第２の実施形態に係る合成画像出力装置について説明する。まず、本実施形態の合成画像出力装置の構成について説明する。なお、以下の説明において、上述の実施形態と共通する構成については同一の符号を付して説明を省略する。
【００６５】
図１１は、本発明の第２の実施形態に係る画像表示テーブルの構成を示すブロック図である。図１１に示すように、本実施形態の画像表示テーブル１２は、ＩＣタグリーダ５０を更に備えている。
【００６６】
ＩＣタグリーダ５０は、画像表示テーブル１２の表面に商品が置かれた際に、商品の容器（食器）に付されたＩＣタグを読み取るためのアンテナである。このアンテナは非接触電力伝送技術によりＩＣタグに電力を供給し通信を行うものであり、その通信距離及び配置は画像表示テーブル１２の大きさ等に応じて、商品が画像表示テーブル１２表面のどこに置かれてもＩＣタグを認識できるように調整されている。
【００６７】
図１２は、本発明の第２の実施形態に係る店内システム１６の主要構成を示すブロック図である。図１２に示す店内システム１６は、ＰＯＳレジ７０と、ＩＣタグライタ７２と、通信Ｉ／Ｆ７４とを含んでいる。
【００６８】
ＰＯＳレジ７０は、店員が利用者の注文内容を入力し、代金の清算等を行うための機器である。ＩＣタグライタ７２は、商品の容器に付されたＩＣタグに、利用者の注文内容に対応した固有のＩＤを書き込むための機器であり、ＰＯＳレジ７０や商品の受け渡し口付近に設置される。
【００６９】
通信Ｉ／Ｆ７４は、店内システム１６をＬＡＮに接続するための機器で、所定のプロトコルにしたがって各種データの送受信を行う。
【００７０】
次に、本実施形態の合成画像出力装置１０の出力用合成データを作成する方法について説明する。図１３は、本発明の第２の実施形態に係る出力用合成データ作成方法を示すフローチャートである。
【００７１】
まず、利用者が来店し商品を注文する（ステップＳ７０）。そして、利用者が商品を受け取り画像表示テーブル１２に着席すると、ＩＣタグリーダ５０により届けられた商品に付されたＩＣタグが読み取られて、商品の種類が認識される。そして、この商品の種類からサーバ１８内のルック・アップ・テーブルが検索されて、利用者が着席した画像表示テーブル１２で利用可能なテンプレートが決定される（ステップＳ７２）。
【００７２】
図１４は、ルック・アップ・テーブルの例を示す図である。図１４に示すように、ルック・アップ・テーブルＬＵＴには、注文された商品の種類（コーヒーやオレンジジュース、イチゴジュース等）とテンプレートの対応関係が記録されている。これらのテンプレートとしては、例えば、商品の種類に因んだもの（例えば、コーヒーならコーヒーやコーヒー豆、コーヒーカップ等のデザインされた画像等）や店舗のマーク、キャラクタ等を含むものを用いることができる。
【００７３】
図１５は、利用者の画像に適用されるテンプレートの例を示す図である。図１５（ａ）〜図１５（ｄ）に示すテンプレート（ＴＭＰ１〜ＴＭＰ４）は、それぞれ利用者がコーヒー、アップルティ、オレンジジュース及びイチゴジュースを注文した場合に利用できるテンプレートの例を示している。この例のテンプレート（ＴＭＰ１〜ＴＭＰ４）は注文商品に因んだ図柄の枠であり、中央の画像合成領域は利用者の画像を合成するための領域である。
【００７４】
なお、本実施形態において、利用者画像に対するテンプレートの適用については、商品が画像表示テーブル１２に置かれたときに、その画像表示テーブル１２に対してテンプレートの利用が許可されるようにしてもよいし、テンプレートが自動的に利用者の画像と合成されるようにしてもよい。
【００７５】
なお、商品の種類に対応するテンプレートが異なるルック・アップ・テーブルＬＵＴがサーバ１８内に複数種類記録されていて、季節や月、曜日、記念日等に応じて検索されるルック・アップ・テーブルＬＵＴが入れ替えられるようになっていてもよい。また、利用者がおかわり等をした場合に用いるＬＵＴが用意されていてもよい。
【００７６】
図１３の説明に戻ると、次いでステップＳ７４に進み、利用者がメディアリーダ／ライタ６０に記録メディアを挿入すると、記録メディアに記録されている利用者の画像データ（生データ）が画像表示テーブル１２に入力され、入力された画像データは表示用画像データに変換されて、表示部３０に一覧表示される（ステップＳ７６）。
【００７７】
次に、利用者は操作部３８を操作して、ステップＳ７２で利用可能となったテンプレートの中から自分の入力した画像と合成したい表示用テンプレートデータを選択し（ステップＳ７８）、表示部３０上で表示用画像データとステップＳ７８で選択した表示用テンプレートデータとを合成して、表示用合成データを作成する（ステップＳ８０）。
【００７８】
そして、ステップＳ８０における合成結果を確定すると（ステップＳ８２）、利用者の画像データ（生データ）がサーバ１８に転送され（ステップＳ８４）、ファイル出力用とプリント出力用の合成データが自動的に作成される（ステップＳ８６）。
【００７９】
なお、ファイル出力用の合成データとプリント出力用の合成データの作成方法、及びファイル出力やプリント出力の方法については、上記の実施形態と同様であるので説明を省略する。
【００８０】
本実施形態の合成画像出力装置によれば、店舗独自のテンプレートや利用者が注文した商品（飲食物）に応じたテンプレートを提供することにより、店舗独自のサービスに利用できる。また、本実施形態においては、上記の実施形態と同様に、テンプレートがクーポン券や抽選（補助）券等を含むデザインとなっていてもよい。
【００８１】
なお、上述の実施形態においては、商品の容器（食器）に付されたＩＣタグを利用者の画像表示テーブル１２で認識された場合に、当該テーブルで注文内容に対応するテンプレートを利用可能とすることとしたが、利用者に固有のＩＤを、例えば、ＩＤカード（磁気カード、ＩＣカード等）等により付与しておき、利用者の注文内容をＩＤとともにＰＯＳレジからサーバ１８に入力し、このＩＤが画像表示テーブル１２に設けられたＩＤカードリーダで認識された場合に、当該テーブルでＩＤの注文内容に対応するテンプレートを利用可能としてもよい。
【００８２】
なお、本実施形態においては、本発明の合成画像出力装置を注文した商品を受け取ってから着席するタイプの店舗（セルフサービスカフェ）に適用した例について説明したが、着席してから注文を行う喫茶店やレストラン等の店舗にも適用することができる。
【００８３】
なお、着席してから注文を行う喫茶店やレストラン等の店舗においては、ＩＣタグリーダ５０やＩＤカード等を用いずに、店員によるテーブル番号と注文内容の入力によって、画像表示テーブル１２ごとに利用可能なテンプレートを設定するようにしてもよい。
【００８４】
なお、第２の実施形態において、複数の利用者が同じ画像表示テーブル１２に着席した場合には、例えば、その画像表示テーブル１２で利用者全員の注文内容に対応するテンプレートが利用可能となるようにしてもよいし、表示部３０が利用者の人数に応じて複数の領域に分割されていて、各領域の利用者の注文内容に応じたテンプレートが各領域で別々に利用可能となるようにしてもよい。但し、この場合、入出力部３２、操作部３８、ＩＣタグリーダ５０、ＩＤカードリーダ等を各領域ごとに設けた構成となる。
【００８５】
なお、上述の各実施形態において、テンプレートの表示用データは、あらかじめサーバ１８に記憶されていることとしたが、作業時に作成されるようにしてもよい。
【００８６】
また、テンプレートとしては動画を含むものも考えられる。このような動画のテンプレートから作成された合成データをファイル出力する方法については、上述の実施形態と同様に行ってもよいし、動画の場合には悪用が困難であるので、著作権のあるテンプレートであってもファイル用の代替のテンプレートを用いずに出力させることとしてもよい。
【００８７】
また、利用者の画像と動画のテンプレートから作成された合成データをプリント出力する方法については、例えば、動画のテンプレートデータにあらかじめプリントするための場面（コマ）に関する情報を書き込んでおいて、そのコマをプリントする方法が考えられる。
【図面の簡単な説明】
【００８８】
【図１】本発明の一実施形態に係る合成画像出力装置を示すブロック図
【図２】画像表示テーブルを示す斜視図
【図３】本発明の第１の実施形態に係る画像表示テーブルの構成を示すブロック図
【図４】入出力部３２を拡大して示す斜視図
【図５】本発明の第１の実施形態に係る合成画像の出力用データを作成する方法を示すフローチャート
【図６】表示用合成データの作成方法の例を示す図
【図７】ファイル出力用合成データの作成方法を示すフローチャート
【図８】プリント出力用合成データの作成方法を示すフローチャート
【図９】出力用合成データのファイル出力方法を示すフローチャート
【図１０】出力用合成データのプリント出力方法を示すフローチャート
【図１１】本発明の第２の実施形態に係る画像表示テーブルの構成を示すブロック図
【図１２】本発明の第２の実施形態に係る店内システム１６の主要構成を示すブロック図
【図１３】本発明の第２の実施形態に係る出力用合成データを作成する方法を示すフローチャート
【図１４】ルック・アップ・テーブルの例を示す図
【図１５】利用者の画像に適用されるテンプレートの例を示す図
【符号の説明】
【００８９】
１０…合成画像出力装置、１２…画像表示テーブル、１４…プリンタ、１６…店内システム、１８…サーバ、３０…表示部、３２…入出力部、５０…ＩＣタグリーダ、６０…メディアリーダ／ライタ、７０…ＰＯＳレジ、７２…ＩＣタグライタ
【図１】
2005354282.tif 000003
【図２】
2005354282.tif 000004
【図３】
2005354282.tif 000005
【図４】
2005354282.tif 000006
【図５】
2005354282.tif 000007
【図６】
2005354282.tif 000008
【図７】
2005354282.tif 000009
【図８】
2005354282.tif 000010
【図９】
2005354282.tif 000011
【図１０】
2005354282.tif 000012
【図１１】
2005354282.tif 000013
【図１２】
2005354282.tif 000014
【図１３】
2005354282.tif 000015
【図１４】
2005354282.tif 000016
【図１５】
2005354282.tif 000017